(57)【要約】【課題】複数種のパーツの組合せによって、現場における作業環境に対応して例えば単灯式、複灯式等の種々な照明スタンドを構成することを可能にする。【解決手段】２組の面壁が対峙している角筒状で、対峙している少なくとも１組の面壁には外部に連通してナット板１９を係止する係止溝１５を有していて、支柱部あるいは脚部となるパイプ材１０を形成する。脚部となるパイプ材１０を連結固定するよう、放射状に突設した複数の脚支片３を有するスタンドベース１と、支柱部となるパイプ材１０をスタンドベース１上に立脚固定する支柱固定プレート２０とを備える。また、パイプ材１０に嵌め合わせて支柱固定プレート２０を隠蔽するほぼ帽子状の第１スタンドキャップ３０、第１スタンドキャップ３０の下端縁部に係止して、脚支片３上に固定する第２スタンドキャップ４０を設ける。【選択図】図１
2008282614.tif 000002
【特許請求の範囲】
【請求項１】
２組の面壁が対峙している角筒状で、対峙している少なくとも１組の面壁には外部に連通していて、ナット板が係止される係止溝を有するパイプ材と、脚部となるパイプ材を連結固定するよう、放射状に突設した複数の脚支片を有するスタンドベースと、支柱部となるパイプ材をスタンドベース上に立脚固定する支柱固定プレートとを備えて成ることを特徴とする組立式スタンド装置。
【請求項２】
パイプ材に嵌め合わされて、支柱固定プレートを隠蔽するほぼ帽子状の第１スタンドキャップを備える請求項１に記載の組立式スタンド装置。
【請求項３】
第１スタンドキャップの下端縁部に係止して、脚支片上に固定される第２スタンドキャップを備える請求項２に記載の組立式スタンド装置。
【請求項４】
２組の面壁が対峙している角筒状で、対峙している少なくとも１組の面壁には外部に連通していて、ナット板が係止される係止溝を有するパイプ材と、放射状に突設した複数の脚支片を有するスタンドベースと、支柱部となるパイプ材をスタンドベース上に立脚固定する支柱固定プレートと、スタンドベースの脚支片に固定されることでスタンドベースに連結されて脚部となるスタンドレッグとを備えて成ることを特徴とする組立式スタンド装置。
【請求項５】
パイプ材に嵌め合わされて、支柱固定プレートを隠蔽するほぼ帽子状の第１スタンドキャップを備える請求項４に記載の組立式スタンド装置。
【請求項６】
２組の面壁が対峙している角筒状で、対峙している少なくとも１組の面壁には外部に連通していて、ナット板が係止される係止溝を有するパイプ材と、このパイプ材を直交状に連結固定するパイプ材固定プレートとを備えて成ることを特徴とする組立式スタンド装置。
【請求項７】
支柱部、脚部となるパイプ材は、組合せ数、長さは任意に設定できる請求項１乃至６のいずれかに記載の組立式スタンド装置。
【請求項８】
パイプ材は、一方の対として対峙する第１面壁、第３面壁ではほぼ平坦状の外郭面を有し、他方の対として対峙する第２面壁、第４面壁ではパイプ材自体の内方に窪み状となる係止溝を形成し、この係止溝の左右開口縁それぞれに係止溝を半ば閉塞するように互いに他方の開口縁側に向けて延びている係止縁を突設してある請求項１乃至７のいずれかに記載の組立式スタンド装置。
【請求項９】
スタンドベースは、平面から見て多角形状を呈するプレート状のベース本体の各角部に、脚部を位置決め連結する脚支片を突設状に連設し、脚支片相互間の辺縁には折曲された補強片を設けて成る請求項１乃至５または７、８に記載の組立式スタンド装置。
【請求項１０】
スタンドベースには、ネジ止め孔が適宜に開穿されて成る請求項１乃至５または７乃至９に記載の組立式スタンド装置。
【請求項１１】
支柱固定プレートは、スタンドベースに当接固定されるベース固定部と、パイプ材の外側面に嵌め合わせるようにして当接固定される支柱固定部とを備える請求項１乃至５または７乃至１０に記載の組立式スタンド装置。
【請求項１２】
第１スタンドキャップは、支柱固定プレートを含む周囲を囲繞するようにしたやや裾広がり筒状に形成した囲繞周壁部と、パイプ材の外郭形に対応した内形状で開口されているパイプ材挿通開口を形成して、囲繞周壁部の上部を閉塞する頂壁部と、囲繞周壁部の下端開口縁に形成した段状フランジ部とから成る請求項２乃至５または７乃至１１に記載の組立式スタンド装置。
【請求項１３】
第２スタンドキャップは、第１スタンドキャップにおける下端縁部に嵌め合わせてベース本体にネジ止めするボルト挿通孔を開穿して成る請求項３または７乃至１２に記載の組立式スタンド装置。
【請求項１４】
スタンドレッグは、第１スタンドキャップにおける下端縁部に嵌め合わせてスタンドベースに連結固定する連結部を設けて成る請求項４または７乃至１２に記載の組立式スタンド装置。
【請求項１５】
スタンドレッグは、直方体状で下端、一側端がそれぞれ開放されているほぼボックス状を呈し、開放されている一側端に、第１スタンドキャップ部分、脚支片部分に嵌め合わせてスタンドベースに連結固定する連結部を形成し、他側端に、キャスター部材あるいは設置用部材が固定される取付孔を設けて成る請求項４または７乃至１２または１４に記載の組立式スタンド装置。
【請求項１６】
パイプ材固定プレートは、直交配置されるパイプ材の直交連結部位で、パイプ材それぞれの一側面に斜状に架装当接する筋交い片本体と、一方のパイプ材における筋交い片本体が当接する一側面に隣接する他側面に当接される第１固定片と、他方のパイプ材における筋交い片本体が当接する一側面に隣接する他側面に当接される第２固定片と、筋交い片本体あるいは第１固定片、第２固定片をパイプ材に固定する固定手段とから成る請求項６に記載の組立式スタンド装置。
【請求項１７】
固定手段は、パイプ材における係止溝位置に対応して当接する第１固定片自体、第２固定片自体、また筋交い片本体における第１固定片、第２固定片側の側縁部それぞれに開穿したボルト挿通孔に挿通したボルトを、係止溝に挿入配置されるナット板にネジ止めするようにして成る請求項１６に記載の組立式スタンド装置。
【発明の詳細な説明】
【技術分野】
【０００１】
本発明は例えば自動車修理工場、各種機器の製造工場その他において、作業部位等を補助的にでも照明する場合に使用し、現場の作業状況その他に応じて単灯式あるいは複灯式、更には単柱式あるいは複柱式等に選択的に自在に組立可能にした自立できる照明スタンドとして構成可能で、更には種々な支柱構造として構成できる組立式スタンド装置に関する。
【背景技術】
【０００２】
従来から、例えば自動車修理工場等において車両等の修理に際する手元照明のために各種の自立型の照明装置が提供されている。例えば特許文献１に示すスタンド型車両用作業照明具であり、特許文献２に示す建設工事用照明スタンドであり、特許文献３に示す照明具支持スタンド等である。
【０００３】
特許文献１に示すスタンド型車両用作業照明具は、傾斜拡開した３本の脚部を備えた三脚型の基台に、照明灯を備えたアーム部材を伸張自在にして連結し、アーム部材を所定の適宜な角度で折曲させることで、種々な態様で車両の各部を選択的に照明するようにしてなる。特許文献２に示す建設工事用照明スタンドは、自在に移動可能にした基台上に支柱を立設し、この支柱を囲むように複数の照明器具を配すると共に、支柱の上部に首振り機構を介して投光器を取り付けたものである。特許文献３に示す照明具支持スタンドは、受け部を突設したプレート状の基台に切欠部を形成し、照明具を取り付けたダクトを上部に連結した支柱を受け部に取り外し自在に嵌め合わせることで、支柱を基台上に立脚状に固定したものである。
【特許文献１】特開２００３−１５１３０９号公報
【特許文献２】実開平６−７３８０１号公報
【特許文献３】登録実用新案第３０７４４８１号公報
【発明の開示】
【発明が解決しようとする課題】
【０００４】
如上のような自立型の照明装置において、特許文献１では三脚型の基台が所定の傾斜角度で末広がり状になっているから、機器自体が占める実質的な占有空間はかなりの程度に大きくなり、作業者等によって基台を引っ掛けて、倒してしまうようなこともあり、狭隘な作業場所等で使用するには適当ではない。特許文献２では設置場所の周囲を照明し、またスポット的な部分照明を可能にしても、例えば多灯形式として集中的に特定部位等を照明するには適当ではなく、重量的にも嵩張る。特許文献３では、基台に突設した受け部に支柱下部を嵌め合わせ、支柱上部にダクトを介して照明具を支持するから、受け部に多大な荷重が集中的に負荷されることになり、この部位の補強を配慮しておかなければ、損壊される虞もある。また、基台と支柱とを取り外し可能にした組立分解式とし、基台を複数で重ね合わせることでコンパクトな格納を図るとしても、１台のスタンドの組立、分解による場合には基台自体がプレート状であることで、それほどコンパクトに纏められるとは限らない。
【０００５】
また、これらの従来の照明装置においては、照明対象物の大小、使用場所、作業環境その他によって様々な照明器具態様となるように設定する必要があっても、その照明装置自体の形状、構造等は予め定められているから、作業環境等の変化に対応した器具形態とすることは困難であった。
【０００６】
そこで本発明は叙上のような従来存した諸事情に鑑み創出されたもので、その目的は例えば照明対象物に対応して、種々な形態で組立可能となるように予め用意された複数種のパーツの組合せで対応できるようにして、特に照明灯を支持する支柱部自体を自立状態で設置できるようにする照明スタンドとして構成可能とすることにある。また、支柱部自体は１本の単柱式あるいは複数本の複柱式としたり、設置支持する照明灯も、これを単数であるいは複数で組合せ構成でき、現場における作業環境に対応した種々な構成とすることを可能とすることにある。そしてまた、種々な部材を支持できるように形態が異なる支柱構造を簡単に組み立て得る組立式スタンド装置を提供することにある。
【課題を解決するための手段】
【０００７】
上述した課題を解決するため、本発明にあっては、その第１は、２組の面壁が対峙している角筒状で、対峙している少なくとも１組の面壁には外部に連通していて、ナット板１９が係止される係止溝１５を有するパイプ材１０と、脚部となるパイプ材１０を連結固定するよう、放射状に突設した複数の脚支片３を有するスタンドベース１と、支柱部となるパイプ材１０をスタンドベース１上に立脚固定する支柱固定プレート２０とを備えて成ることを特徴とする。
また、パイプ材１０に嵌め合わされて、支柱固定プレート２０を隠蔽するほぼ帽子状の第１スタンドキャップ３０を備えるものとしたり、更にはこの第１スタンドキャップ３０の下端縁部に係止して、脚支片３上に固定される第２スタンドキャップ４０を備えるものとしたりできる。
パイプ材１０は、支柱部、脚部として使用構成されるとき、脚部あるいは支柱部とするときの長さ・高さ、また脚部として組合せられるときの数等は任意に設定できるものとしてある。そして、パイプ材１０自体は、一方の対として対峙する第１面壁１１、第３面壁１３ではほぼ平坦状の外郭面を有し、他方の対として対峙する第２面壁１２、第４面壁１４ではパイプ材１０自体の内方に窪み状となる係止溝１５を形成し、この係止溝１５の左右開口縁それぞれで係止溝１５を半ば閉塞するように互いに他方の開口縁側に向けて延びている係止縁１６を突設して構成することができる。
スタンドベース１は、平面から見て多角形状、例えば三角形状、五角形状等を呈するプレート状のベース本体２の各角部に、脚部を位置決め連結する脚支片３を突設状に連設し、脚支片３相互間の辺縁には折曲された補強片４を設けてある。また、補強片４自体は側面から見て断面でほぼＬ字状に折曲されて形成され、スタンドベース１自体には、ネジ止め孔６すなわち支柱固定プレート２０、第１スタンドキャップ３０、更には第２スタンドキャップ４０を連結固定する等のための透孔状あるいは雌ネジ状のネジ止め孔６が適宜に開穿されて成る。
支柱固定プレート２０は、スタンドベース１に当接固定されるベース固定部２１と、パイプ材１０の外側面に嵌め合わせるようにして当接固定される支柱固定部２２とを備え、例えば側面から見てほぼＬ字状を呈している。
第１スタンドキャップ３０は、支柱固定プレート２０を含む周囲を囲繞するようにしたやや裾広がり筒状に形成した囲繞周壁部３１と、パイプ材１０の外郭形に対応した内形状で開口されているパイプ材挿通開口３３を形成して、囲繞周壁部３１の上部を閉塞する頂壁部３２と、囲繞周壁部３１の下端開口縁に形成した段状フランジ部３４とから成る。また、段状フランジ部３４は、支柱固定プレート２０における支柱固定部２２に嵌め合うようにして形成することができる。
第２スタンドキャップ４０は、第１スタンドキャップ３０における下端縁部に嵌め合わせてベース本体２にネジ止めするボルト挿通孔４２を開穿して成り、第１スタンドキャップ３０との嵌め合わせには、例えば段状フランジ部３４に嵌り合う切欠部４１を形成するものとしてある。
本発明にあって、その第２は、２組の面壁が対峙している角筒状で、対峙している少なくとも１組の面壁には外部に連通していて、ナット板１９が係止される係止溝１５を有するパイプ材１０と、放射状に突設した複数の脚支片３を有するスタンドベース１と、支柱部となるパイプ材１０をスタンドベース１上に立脚固定する支柱固定プレート２０と、スタンドベース１の脚支片３に固定されることでスタンドベース１に連結されて脚部となるスタンドレッグ６０とを備えて成ることを特徴とする。
また、パイプ材１０に嵌め合わされて、支柱固定プレート２０を隠蔽するほぼ帽子状の第１スタンドキャップ３０を備えるものとすることができる。
スタンドレッグ６０は、第１スタンドキャップ３０における下端縁部に嵌め合わせてスタンドベース１に連結固定する連結部６２を設けて成り、第１スタンドキャップ３０との嵌め合わせには、これに嵌り合う切欠部４１を形成することができる。より具体的には、直方体状で下端、一側端がそれぞれ開放されているほぼボックス状を呈し、開放されている一側端に、第１スタンドキャップ３０部分、脚支片３部分に嵌め合わせてスタンドベース１に連結固定する連結部６２を形成し、他側端に、キャスター部材５０あるいは設置用部材５１が固定される取付孔６３を設けて成る。第１スタンドキャップ３０、脚支片３部分への嵌め合いには、これらに嵌り合う切欠段部６１を形成することができる。
本発明にあって、その第３は、２組の面壁が対峙している角筒状で、対峙している少なくとも１組の面壁には外部に連通していて、ナット板１９が係止される係止溝１５を有するパイプ材１０と、このパイプ材１０を直交状に連結固定するパイプ材固定プレート７０とを備えて成ることを特徴とする。
パイプ材固定プレート７０は、直交配置されるパイプ材１０の直交連結部位で、パイプ材１０それぞれの一側面に斜状に架装当接する筋交い片本体７１と、一方のパイプ材１０における筋交い片本体７１が当接する一側面に隣接する他側面に当接される第１固定片７２と、他方のパイプ材１０における筋交い片本体７１が当接する一側面に隣接する他側面に当接される第２固定片７３と、筋交い片本体７１あるいは第１固定片７２、第２固定片７３をパイプ材１０に固定する固定手段７５とから成る。
固定手段７５は、パイプ材１０における係止溝１５位置に対応して当接する第１固定片７２自体、第２固定片７３自体、また筋交い片本体７１における第１固定片７２、第２固定片７３側の側縁部それぞれに開穿したボルト挿通孔に挿通したボルトを、係止溝１５に挿入配置されるナット板１９にネジ止めするようにして成る。
【０００８】
以上のように構成された本発明に係る組立式スタンド装置にあって、スタンドベース１は、これの脚支片３に脚部となるパイプ材１０あるいはスタンドレッグ６０を連結固定することで複数の所定長さの脚部を放射状に配置した支持台として構成され、スタンドベース１上に立脚支持した所定高さの支柱部となるパイプ材１０をしっかりと支持し、この支柱部に例えば照明灯Ｌを固定することで自立型の照明スタンドとさせる。
スタンドベース１の脚支片３それぞれは、複数のパイプ材１０あるいはスタンドレッグ６０を個別に連結固定し、その放射状配置を保持し、立脚支持される支柱部となるパイプ材１０を倒立させることなく、更に支柱部に固定した例えば照明灯Ｌを安定的に支持させる。
外部に連通している係止溝１５を備えたパイプ材１０は、係止溝１５にスライドあるいは直接的に挿入配置されるナット板１９によって各種の部材となるパーツ、例えばスタンドベース１、支柱固定プレート２０、第１スタンドキャップ３０、第２スタンドキャップ４０、更にはパイプ材固定プレート７０等との連結固定を可能にさせる。
支柱固定プレート２０は、スタンドベース１上に支柱部となるパイプ材１０を倒立させることなく安定的に支持固定させ、第１スタンドキャップ３０は、この支柱固定プレート２０を囲繞隠蔽して化粧し、体裁を良好にさせる。また、第２スタンドキャップ４０は、第１スタンドキャップ３０から脚支片３を経て脚部となるパイプ材１０への連結箇所を半ば隠蔽化粧し、同じく体裁を良好にさせる。
また、スタンドレッグ６０は、スタンドベース１の脚支片３それぞれに連結固定されることで、支柱部となる所定高さのパイプ材１０を支持しているスタンドベース１の放射状の脚部となり、パイプ材１０更には照明灯Ｌ等を安定した状態で支持させる。
更に、パイプ材固定プレート７０は、相互に直交させて配置連結するパイプ材１０相互をしっかりと固定させ、しかも脚部となるパイプ材１０上に、支柱部となるパイプ材１０を直接に配置して連結固定させ、パーツの組合せを簡素化させる。
【発明の効果】
【０００９】
本発明は以上説明したように構成されているため、例えば自動車修理工場等での修理自動車その他の照明対象物に対応して、種々な態様で照明できる様々な形態のものとして組立可能である。それらは予め用意された各部材である複数種のパーツすなわちスタンドベース１、パイプ材１０、支柱固定プレート２０、第１スタンドキャップ３０、第２スタンドキャップ４０、キャスター部材５０、スタンドレッグ６０、パイプ材固定プレート７０等の組合せで対応でき、特に照明灯Ｌを支持する支柱部自体を自立させて設置できる。また、支柱部自体は１本の単柱式あるいは複数本の複柱式としたり、設置支持する照明灯Ｌも、これを単数であるいは複数で組合せ構成でき、現場における作業環境に対応した種々な構成とすることが可能である。
【００１０】
パイプ材１０、スタンドベース１、支柱固定プレート２０等の各部材から成る組合せとすることで、脚部となるパイプ材１０を放射状に配して、また支柱部となるパイプ材１０を立設固定したスタンドベース１を安定的に保持でき、ひいては支柱部更にはこれに連結固定する照明灯Ｌ等をしっかりと自立状態で支持できる。
【００１１】
また、第１スタンドキャップ３０によって、スタンドベース１上でパイプ材１０を立脚状に固定連結している支柱固定プレート２０を隠蔽化粧でき、更には第２スタンドキャップ４０によって、第１スタンドキャップ３０の縁部から、スタンドベース１に脚部を連結している脚支片３における連結部位を半ば隠蔽化粧し、組立後の体裁を良好にする。
【００１２】
パイプ材１０は、２組の面壁すなわち第１面壁１１と第３面壁１３、第２面壁１２と第４面壁１４とが対峙している角筒状で、対峙している少なくとも１組の面壁例えば第２面壁１２と第４面壁１４とには外部に連通していて、ナット板１９が係止される係止溝１５を設けてあるから、この係止溝１５に挿入配置されるナット板１９を介して、種々な部材をネジ止めさせて連結固定できる。例えばスタンドベース１と脚部となるパイプ材１０の連結固定、パイプ材１０とスタンドベース１とを連結する支柱固定プレート２０とのネジ止め、パイプ材１０に対する取付治具Ｊを介しての照明灯Ｌの支持等に利用できる。
【００１３】
スタンドベース１は、脚支片３によって脚部となる所定長さのパイプ材１０を放射状に配して連結固定することで、安定した支持台を構成し、図示のように三つ叉状とすることに限定されず、脚支片３の増加によって例えば４脚、５脚形態更にはそれ以上の脚数とすることも可能である。また、脚部長さも任意に設定できる。
【００１４】
パイプ材１０、スタンドベース１、支柱固定プレート２０、スタンドレッグ６０等の各部材から成る組合せは、スタンドレッグ６０自体が支柱部となるパイプ材１０を立脚支持しているスタンドベース１の放射状の脚部となるから、簡素化した構成ながらも放射状配置の脚部によって、支柱部、照明灯Ｌ等を安定した状態で支持できる。
【００１５】
更には、パイプ材１０、パイプ材固定プレート７０等の各部材から成る組合せは、相互に直交させて配置連結するパイプ材１０相互をしっかりと固定するものとなり、パイプ材１０の相互の組合せによる脚部構成、この脚部上に立脚させるパイプ材１０による支柱部構成を可能にする。しかも脚部はパイプ材１０を１本であるいは複数本で形成でき、これらの脚部となるパイプ材１０上に、支柱部となるパイプ材１０を直接に配置して連結固定させるから、パーツの組合せを簡素化させる利点がある。
【００１６】
パイプ材固定プレート７０は、パイプ材１０それぞれの一側面に斜状に架装当接する筋交い片本体７１と、一方のパイプ材１０の他側面に当接される第１固定片７２と、他方のパイプ材１０の他側面に当接される第２固定片７３と、筋交い片本体７１あるいは第１固定片７２、第２固定片７３をパイプ材１０に固定する固定手段７５とから成るから、直交配置のパイプ材１０相互を確実に連結固定できる。
【００１７】
しかも、このパイプ材固定プレート７０を、筋交い片本体７１に対して第１固定片７２、第２固定片７３それぞれを左右対称的に構成して対状にして配置使用することで、例えば脚部となるパイプ材１０上に支柱部となるパイプ材１０を左右から抱持し挟み込むように固定することで、支柱部となるパイプ材１０を一層安定した立設状態とすることが可能である。
【００１８】
尚、上記の課題を解決するための手段、発明の効果の項夫々において付記した符号は、図面中に記載した構成各部を示す部分との参照を容易にするために付した。本発明は、これらの記載、図面中の符号等によって示された構造・形状等に限定されない。
【発明を実施するための最良の形態】
【００１９】
以下図面を参照して本発明を実施するための最良の一形態を説明する。図１乃至図１３に示される第１の実施の形態において示される符号１はスタンドベースであり、このスタンドベース１は、自立状に立脚させられる後述のパイプ材１０から成る支柱部と、支柱部を立脚させるべく例えば三つ叉状あるいは５方向あるいは複数方向の放射状に配列される同じくパイプ材１０から成る脚部とを連結固定し、一体化させる。
【００２０】
図示にあってのスタンドベース１は三つ叉状に配置される脚部に対して支柱部を立脚させるように、平面から見て基本的には三角形状を呈するプレート状のベース本体２の各角部に、脚部を位置決め連結する脚支片３を突設状に連設し、脚支片３相互間の辺縁は側面から見て断面でほぼＬ字状に折曲された補強片４としてある（図４、図５参照）。また、脚支片３部位の両脇における補強片４の端縁相互間の間隔は脚部となるパイプ材１０の幅員にほぼ対応している。脚支片３の奥部側であるベース本体２には、脚支片３に沿って挿入状に配置される脚部端を位置決め係止するストッパー５が切り起こし状にして形成されている。ベース本体２、脚支片３それぞれには、脚部、支柱部を立脚固定する後述の支柱固定プレート２０、第１スタンドキャップ３０、第２スタンドキャップ４０等をネジ止め等して連結固定するための透孔状あるいは雌ネジ状のネジ止め孔６が所定位置で適宜に開穿されている。
【００２１】
また、このスタンドベース１における脚支片３は、隣り合う２片相互の拡開角度が例えば１００°としてあり、他の１片の脚支片３との拡開角度は１３０°としてある（図５参照）。こうすることで、相互間の拡開角度が小さくして隣り合う２片の脚支片３は主たるものとして、例えば組立後のスタンド相互を連結する場合、支柱部に例えば照明灯Ｌを支持連結するときの荷重支持側に位置させて倒立防止を図るとする場合等として使用させる。また、両脇の拡開角度が大きい１片の脚支片３は、その場合の補助的な荷重支持の役割を果たすものとしてある。
【００２２】
このスタンドベース１自体は、主として重量的に嵩張る支柱部更には照明灯Ｌを支持する場合には、図１、図２に示すように脚支片３相互間に後述のパイプ材１０を挟み込むように上下で対向させた対状に組合せ使用される。このように対向状態で組合せ使用されることを考慮して、補強片４の高さはパイプ材１０の幅員の１／２以下に設定されている。また、主として軽量な照明灯Ｌ等を支持する場合には、図１４乃至図１６に示すように単一盤構成のものとして使用される。これらの使用態様の相違は、いずれも任意に選択でき、特に限定されるものではない。
【００２３】
また、図６にはスタンドベース１の他の形態が示されている。これは、設置面上で５方向の放射状にして脚部を配置構成できるように、ベース本体２を平面から見て五角形状に形成し、５個の角部に脚支片３を突設形成して成る。このように、スタンドベース１自体は、脚部数に対応して所定の多角形状に形成でき、１本の脚部に１本のパイプ材１０が対応して組合せ構成できることと相俟ち、多様な脚部構成を可能にしている。
【００２４】
支柱部、脚部となるパイプ材１０は、図３に示すように断面で基本的には矩形枠を呈するようになっている長尺な四角筒状に形成されており、予め所定長さに設定されていたり、必要に応じて所定長さで切断されたりして使用される。そして、一方の対として対峙する第１面壁１１、第３面壁１３ではほぼ平坦状の外郭面を有している。また、他方の対として対峙する第２面壁１２、第４面壁１４ではパイプ材１０自体の内方に窪み状となって、外部と連通している係止溝１５を形成し、この係止溝１５の左右開口縁それぞれで係止溝１５の開口を半ば閉塞するように互いに他方の開口縁側に向けて延びている係止縁１６を突設してあり、係止溝１５の奥底部は、係止溝１５の左右部分で傾斜している断面で〔型を呈している。またこのパイプ材１０によって支柱部となるときの高さ、脚部となるときの脚数、長さ等は任意に設定されるのは勿論である。
【００２５】
図示のように第１面壁１１と第３面壁１３との相互の間隔幅員は、第２面壁１２、第４面壁１４との相互の間隔幅員に比しやや大きく形成してある。これは、例えば組立使用時のパイプ材１０自体の向き、方向等を考慮するためであり、特にこれを考慮したとしても、幅員が相違あるいは同一となっていてもよく、限定されるものではない。
【００２６】
そして、このパイプ材１０自体の四隅内部には、開放されている断面でほぼ円形溝状の係止条１７を形成してある。この係止条１７は、例えばパイプ材１０末端開口部を化粧隠蔽するエンドキャップ９内側面に突成してあるピン部をやや強制的に挿入連結させることで、パイプ材１０末端開口部を閉塞させる。
【００２７】
尚、係止溝１５は、パイプ材１０自体に他部材例えばスタンドベース１、支柱固定プレート２０、キャスター部材５０更にはパイプ材１０自体をネジ止め連結固定するときに、他部材に貫挿したボルトをネジ込む雌ネジ孔が適数で開穿されている矩形状のナット板１９を挿入配置させるのであり、挿入後は係止縁１６に係止されることで支持される。このナット板１９は、パイプ材１０の端部の開口縁からスライドさせることで、あるいはスライドさせることなく係止縁１６相互間の開口から必要とする位置に直接に挿入される。そのため、係止縁１６相互の間隔幅員に比し小さくはない幅員を有していて、係止縁１６内側面に係止されるようにしてあり、雌ネジ孔は例えば２個あるいは３個、更に必要があれば４個以上にして設けられている。
【００２８】
スタンドベース１上に立脚される支柱部となるパイプ材１０は、このパイプ材１０を挟むようにして対峙させて対状に配置される支柱固定プレート２０によって、スタンドベース１に連結固定される。この支柱固定プレート２０は、図７に示すように側面から見てほぼＬ字状を呈し、スタンドベース１に当接されて例えばネジ止めにて固定されるベース固定部２１と、パイプ材１０の外側面に嵌め合わせるように当接されて例えばネジ止めにて固定される支柱固定部２２とを備える。
【００２９】
ベース固定部２１は、スタンドベース１におけるネジ止め孔６にネジ止めされることで連結固定される。
【００３０】
支柱固定部２２は、パイプ材１０における係止溝１５が形成されている第２面壁１２、第４面壁１４それぞれの側面に当接されるものとし、第１面壁１１、第３面壁１３それぞれの側面の縁部にも当接する当接係止縁２３をＬ字状に折曲させることで両側縁に有している。この支柱固定部２２とパイプ材１０とのネジ止めには、係止溝１５に挿入配置されるナット板１９が使用される。
【００３１】
図示の支柱固定プレート２０は、ベース固定部２１と支柱固定部２２との連続角部には補強のためのビードが施されており、支柱固定部２２の基部は上方側がやや狭幅となる台形状に形成されている。
【００３２】
スタンドベース１上にパイプ材１０を立脚固定した支柱固定プレート２０には、この支柱固定プレート２０を化粧し、隠蔽するように基本的には鍔付き帽子形状を呈する第１スタンドキャップ３０が被装される。この第１スタンドキャップ３０は、図８、図９に示すように支柱固定プレート２０を含むパイプ材１０周囲を囲繞するようにしたやや裾広がり筒状に形成した囲繞周壁部３１と、パイプ材１０の外郭形に対応した内形状で開口されているパイプ材挿通開口３３を形成して、囲繞周壁部３１の上部を閉塞する頂壁部３２と、囲繞周壁部３１の下端開口縁で、支柱固定プレート２０における支柱固定部２２に嵌め合うように形成した段状フランジ部３４とから成る。また段状フランジ部３４には、スタンドベース１あるいは支柱固定部２２にネジ止めさせるボルト挿通孔を開穿してある。
【００３３】
尚、パイプ材挿通開口３３は、パイプ材１０における第１面壁１１、第３面壁１３それぞれに対応する直線的な縁口部分と、第２面壁１２、第４面壁１４それぞれの係止溝１５開口縁にほぼ合致する突縁を備えた凸形状の縁口部分とを有する。
【００３４】
また、スタンドベース１に連結支持した脚部となるパイプ材１０を位置決め固定する脚支片３を化粧し、半ば隠蔽する第２スタンドキャップ４０が被装される。この第２スタンドキャップ４０は、第１スタンドキャップ３０における段状フランジ部３４に一端が係止し、脚支片３の端縁側に他端が係止する状態で第１スタンドキャップ３０と脚支片３との間で架装される。第２スタンドキャップ４０自体は、図１０、図１１に示すように直方体状で下端、一側端がそれぞれ開放されているほぼボックス状を呈し、開放されている一側端に、段状フランジ部３４に嵌り合う切欠部４１を形成し、例えばベース本体２にネジ止めするボルト挿通孔４２を開穿し、また内部には補強性を考慮した例えば筒部、突条部を形成してある。
【００３５】
これらのスタンドベース１、パイプ材１０、支柱固定プレート２０、第１スタンドキャップ３０、第２スタンドキャップ４０等を使用して例えば照明スタンドを構成する例を説明する。図１、図２に示すように脚部となる所定長さの３本のパイプ材１０を用意し、必要があれば、その内の１本は他の２本に比しやや長くしておき、また所定高さの支柱部となる１本のパイプ材１０を用意する。上下で対向させて対状に配したスタンドベース１相互間で、それぞれの脚支片３相互間に脚部となるパイプ材１０を配置し、スタンドベース１のストッパー５にて位置決めすることで三つ叉脚となるようにネジ止め固定する。次いで、上位置のスタンドベース１上に支柱部となるパイプ材１０を立脚位置決めし、支柱固定プレート２０を介してネジ止め固定する。支柱部となるパイプ材１０に予め嵌め合わせておいた、あるいはパイプ材１０の上方から嵌め合わせた第１スタンドキャップ３０を支柱固定プレート２０に被装してネジ止めし、脚支片３位置では第２スタンドキャップ４０を被装してネジ止めする。
【００３６】
その後、脚部となるパイプ材１０には、例えばその端部にキャスター部材５０をナット板１９によって係止溝１５にネジ止め固定し、パイプ材１０の端部にはエンドキャップ９を被せる。
【００３７】
そして例えば図１２、図１３に示すように、支柱部となるパイプ材１０に照明灯Ｌを取り付けるのであり、照明灯Ｌの取付治具Ｊをパイプ材１０の係止溝１５にナット板１９等を介してネジ止め固定する。照明灯Ｌ自体は、単灯式、複灯式のいずれであっても、簡易固定型、反射重量型のいずれであっても、横長タイプ、縦長タイプのいずれであっても良く、また、取付治具Ｊには上下方向、更には水平方向等の角度設定のための調整機構を介在させることもできる。
【００３８】
図１４乃至図２１には第２の実施の形態が示されており、第１の実施の形態において示された同一部材については同一の符号を使用することでその詳細な説明は省略する。この第２の実施の形態においては脚部としてパイプ材１０を使用せずに、脚部専用となるスタンドレッグ６０を使用することで構成して成り、例えば照明スタンドとして構成するとき、第１の実施の形態におけるそれに比し、小型化された構成とするときに最適となるように配慮してある。
【００３９】
すなわち、スタンドレッグ６０は、図示のようにスタンドベース１における脚支片３にネジ止め固定されることでスタンドベース１に連結されて脚部となる。スタンドレッグ６０自体は、図１７、図１８に示すように直方体状で下端、一側端がそれぞれ開放されているほぼボックス状を呈し、開放されている一側端に、支柱固定プレート２０を被装する第１スタンドキャップ３０の下端縁部例えば段状フランジ部３４部分、脚支片３部分に例えば脚支片３の上方から嵌り合う切欠段部６１と、スタンドベース１に連結固定する連結部６２とを形成し、他側端に、例えば突体状のゴム材製等の設置用部材５１をネジ止め、あるいは強制的な嵌め込みで固定したり、あるいはキャスター部材５０をネジ止め固定したりする取付孔６３を設けて成る。また内部には補強性を考慮した例えば筒部、突条部を形成してある。
【００４０】
図示の切欠段部６１は、２段形状に形成されている。例えばスタンドベース１上に立脚された支柱部となるパイプ材１０をスタンドベース１に固定する支柱固定プレート２０を化粧する第１スタンドキャップ３０の段状フランジ部３４に嵌り合う小段部と、脚支片３に嵌り合う大段部との２段形状にしてある。
【００４１】
連結部６２は、例えば脚支片３におけるネジ止め孔６に、スタンドレッグ６０自体を貫挿してネジ止めするボルトを貫挿させるボルト貫挿孔としてある。もとより、このボルト貫挿孔に代えて、他の連結固定構造によることも可能である。
【００４２】
次にこれの使用の一例を、スタンドベース１、支柱部となるパイプ材１０、支柱固定プレート２０、第１スタンドキャップ３０、スタンドレッグ６０等を使用して例えば照明スタンドを構成する例を説明する。図１４乃至図１６に示すようにスタンドベース１上に支柱部となるパイプ材１０を立脚位置決めし、支柱固定プレート２０を介してネジ止め固定する。次いで、パイプ材１０に予め嵌め合わせておいた、あるいはパイプ材１０の上方から嵌め合わせた第１スタンドキャップ３０を支柱固定プレート２０に被装してネジ止め固定する。そして、第１スタンドキャップ３０の段状フランジ部３４、脚支片３それぞれに切欠段部６１を嵌め合わせて、スタンドレッグ６０の一側端を連結部６２を介してスタンドベース１に連結固定し、またスタンドレッグ６０にはキャスター部材５０あるいは設置用部材５１を取り付ける。
【００４３】
その後、支柱部となるパイプ材１０に照明灯Ｌを取り付けるのであり、照明灯Ｌの取付治具Ｊをパイプ材１０の係止溝１５にナット板１９等を介してネジ止め固定する。照明灯Ｌ自体は、例えば図１９に示すように縦長タイプの単灯式とするも、図２０に示すように横長タイプの複灯式とするもいずれであっても良い。尚、照明灯Ｌ自体は、第１の実施の形態における使用例と同様に各種タイプのものが取付可能であることは勿論である。
【００４４】
また、図２１には複数の支柱部によって支持構成された照明スタンドとした例が示されている。すなわち、隣り合って配置されるスタンドベース１それぞれにおける１個の脚支片３相互間に脚部となるパイプ材１０を架装することで２個のスタンドベース１を連結すると共に、スタンドベース１それぞれに支柱部となるパイプ材１０を立脚固定する。次いで、支柱部相互間で照明灯Ｌを架装して取り付けて成る。尚、このような対となる支柱部構成は、先の第１の実施の形態にあっても同様に組立、構成できるのは勿論である。
【００４５】
図２２乃至図２５には第３の実施の形態が示されており、第１更には第２の実施の形態において示された同一部材については同一の符号を使用することでその詳細な説明は省略する。この第３の実施の形態においては、脚部を放射状に構成するスタンドベース１、これに関連する支柱固定プレート２０、第１スタンドキャップ３０、第２スタンドキャップ４０、スタンドレッグ６０等を使用せずに、支柱部及び脚部となるパイプ材１０相互を直接に連結することでスタンドとして構成可能とする。
【００４６】
すなわち、図示のようにパイプ材１０相互をパイプ材固定プレート７０を介して所定方向に沿って直交状に連結固定することで、スタンドとして構成可能とする。複数のパイプ材１０を例えば水平方向で順次に直交させて連結固定して枠台状の脚部となし、あるいは１本のパイプ材１０から成る脚部とし、これらの脚部上に支柱部となるパイプ材１０を連結固定して構成する。
【００４７】
パイプ材固定プレート７０は、直交配置されるパイプ材１０の直交連結部位で、パイプ材１０それぞれの一側面に斜状に架装当接する筋交い片本体７１と、一方のパイプ材１０における筋交い片本体７１が当接する一側面に隣接する他側面に当接される第１固定片７２と、他方のパイプ材１０における筋交い片本体７１が当接する一側面に隣接する他側面に当接される第２固定片７３と、筋交い片本体７１部位自体あるいは第１固定片７２部位自体、第２固定片７３部位自体をパイプ材１０に固定する固定手段７５とから成る。
【００４８】
尚、直交配置されるパイプ材１０において、図２２、図２３に示すように脚部となるパイプ材１０上に支柱部となるパイプ材１０を立脚する部位では、例えば、ほぼ平坦状の外郭面を有している第１面壁１１あるいは第３面壁１３が同一方向、例えば側方向に向けられてほぼ連続されているものとされ、係止溝１５がある第２面壁１２あるいは第４面壁１４は交差している内側に位置するものとされる。また、枠台状となる脚部を構成するパイプ材１０相互を直交状態で連結する部位では、例えば、ほぼ平坦状の外郭面を有している第１面壁１１あるいは第３面壁１３が同一方向、例えば側方向に向けられてほぼ連続されているものとされ、係止溝１５がある第２面壁１２あるいは第４面壁１４は上方あるいは下方に向けられているものとされる。
【００４９】
筋交い片本体７１は基本的には所定幅員のほぼ台形プレート状を呈し、直交配置されているパイプ材１０相互間で斜めに架け渡されている状態でそれぞれの面壁に当接されている。また、第１固定片７２、第２固定片７３それぞれは筋交い片本体７１の斜め状の端縁でほぼＬ字状に折曲されることで連設されており、パイプ材１０の面壁外面に当接する矩形状を呈している。
【００５０】
図示にあっての第１固定片７２、第２固定片７３それぞれは、パイプ材１０における幅員とほぼ同程度の幅員を有するも、パイプ材１０の長さ方向に沿う長さでは第１固定片７２に比し第２固定片７３がやや長く形成されている。もとより、第１固定片７２を第２固定片７３に比し長く形成しても、両者７２，７３がほぼ同一長さとされていても差し支えない。また第１固定片７２、第２固定片７３それぞれの長さが異なる左右対称形のものとしておくことで、支柱部となるパイプ材１０を脚部となるパイプ材１０上に立設固定するとき、左右あるいは前後方向から挟み込むように対状に配置して使用でき、より強固な連結固定状態とさせる利点がある。
【００５１】
固定手段７５は、相互に直交配置されているパイプ材１０それぞれにパイプ材固定プレート７０自体を固定させるもので、筋交い片本体７１、第１固定片７２、第２固定片７３それぞれの部位自体に貫挿したボルトを、パイプ材１０における係止溝１５に挿入配置されるナット板１９にネジ止めするものとしてある。具体的には、パイプ材１０における係止溝１５位置に対応して当接する第１固定片７２自体、第２固定片７３自体、また筋交い片本体７１における第１固定片７２、第２固定片７３側の側縁部それぞれにボルト挿通孔を開穿してある。尚、例えば第１固定片７２では２個、この第１固定片７２にに比し長く形成されている第２固定片７３では３個、これらの第１固定片７２、第２固定片７３それぞれに連続する筋交い片本体７１の側縁部では同様に２個あるいは３個にして配列されている。
【００５２】
次にこれの使用の一例を説明する。図２２、図２３に示すように脚部となるパイプ材１０を、係止溝１５がある第２面壁１２、第４面壁１４を上方に向けた状態で前後左右部で直交させて設置面上で枠状に配置する。直交連結部位において、第１固定片７２、第２固定片７３それぞれを第１面壁１１、第３面壁１３面に当接させ、また筋交い片本体７１を第２面壁１２、第４面壁１４それぞれに当接架装させることで配置する。次いで筋交い片本体７１の側縁部におけるボルト挿通孔にボルトを貫挿し、係止溝１５に配置したナット板１９にネジ止めすることで固定する。一方、支柱部となるパイプ材１０は脚部のパイプ材１０上に立設配置して直交させておき、支柱部のパイプ材１０における一方の係止溝１５部位に第２固定片７３を当接させ、同時に脚部となるパイプ材１０における底面側の他方の係止溝１５部位に第１固定片７２を当接させることでそれぞれでネジ止めする。このとき、第１固定片７２、第２固定片７３の長さが異なることで対状となっているパイプ材固定プレート７０それぞれで、それぞれの筋交い片本体７１を支柱部となるパイプ材１０の両側から対称的に当接配置し、同様にネジ止めすることで、支柱部となるパイプ材１０の基部を囲繞抱時した状態で固定すると良い。
【００５３】
このようにしてパイプ材固定プレート７０を介した脚部となる１本のパイプ材１０あるいは複数本のパイプ材１０相互の連結固定、支柱部となるパイプ材１０の脚部上での左右対称的な連結固定等によって、更にキャスター部材５０の連結その他によって例えば図２４、図２５に示すような照明スタンドを構成する。こうして構成される照明灯スタンドにおける照明灯Ｌ自体は、例えば左右の支柱部相互間に架装配置することで堅固に支持され、また一層安定した構造とされる。
【００５４】
図２４に示された照明スタンドは、１本のパイプ材１０から成る脚部を左右に配し、その脚部上に立設固定した支柱部となるパイプ材１０相互間に、更に上部アームとなるパイプ材１０を架設したもので、パイプ材１０相互の直交状の連結固定部分ではパイプ材固定プレート７０を対状に配置使用している。そして、上部アームとなるパイプ材１０に照明灯Ｌを取付治具Ｊを介して取り付け固定して成る。
【００５５】
図２５に示される照明スタンドは、複数本のパイプ材１０の組合せ連結によって枠台状となした脚部上に、同様に複数本のパイプ材１０の組合せ連結によって枠状となした支柱部による取付支持部を設けて成る。このような複数本のパイプ材１０の組合せによる枠部構成は、より大型の照明スタンドとして構成することを可能にさせる。
【産業上の利用可能性】
【００５６】
以上の実施の形態における説明は、照明スタンドとして構成する場合を示したが、本発明は照明スタンドとする場合に限らず、商品陳列用スタンド等の商品陳列什器として、家具類としても利用可能である。また、照明スタンドとして利用する場合にも工場その他における製造産業分野に限らず、店舗における商品照明、一般家庭における照明スタンド等としての利用も可能である。
【図面の簡単な説明】
【００５７】
【図１】本発明を実施するための最良の形態を示す第１の実施の形態における分解斜視図である。
【図２】同じく一部切欠の要部斜視図である。
【図３】同じく支柱、脚部等となるパイプ材の断面図である。
【図４】同じくスタンドベースの斜視図である。
【図５】同じくその平面図である。
【図６】同じく他の形態としたスタンドベースの斜視図である。
【図７】同じく支柱固定プレートの斜視図である。
【図８】同じく帽子状の第１スタンドキャップの斜視図である。
【図９】同じくその断面図である。
【図１０】同じく脚部に第１スタンドキャップを固定する第２スタンドキャップの斜視図である。
【図１１】同じくその断面図である。
【図１２】同じく照明スタンドとして組立て、使用している例の使用状態斜視図である。
【図１３】同じく他の形態の照明スタンドとして組立て、使用している例の使用状態斜視図である。
【図１４】同じく第２の実施の形態における分解斜視図である。
【図１５】同じくその組立後の要部斜視図である。
【図１６】同じくその一部切欠の要部斜視図である。
【図１７】同じくスタンドレッグの斜視図である。
【図１８】同じくその断面図である。
【図１９】同じく第２の実施の形態において、照明スタンドして組立て、使用している例の使用状態斜視図である。
【図２０】同じく他の例における使用状態斜視図である。
【図２１】同じく２本の支柱部から成る照明スタンドとして組立てた他の例における使用状態斜視図である。
【図２２】同じく第３の実施の形態における分解斜視図である。
【図２３】同じくその組立後の要部斜視図である。
【図２４】同じく第３の実施の形態において、照明スタンドとして組立て、使用している例の使用状態斜視図である。
【図２５】同じく他の照明スタンドとして組立構成した使用状態斜視図である。
【符号の説明】
【００５８】
Ｊ…取付治具                            Ｌ…照明灯
１…スタンドベース                      ２…ベース本体
３…脚支片                              ４…補強片
５…ストッパー                          ６…ネジ止め孔
９…エンドキャップ
１０…パイプ材                          １１…第１面壁
１２…第２面壁                          １３…第３面壁
１４…第４面壁                          １５…係止溝
１６…係止縁                            １７…係止条
１９…ナット板
２０…支柱固定プレート                  ２１…ベース固定部
２２…支柱固定部                        ２３…当接係止縁
３０…第１スタンドキャップ              ３１…囲繞周壁部
３２…頂壁部                            ３３…パイプ材挿通開口
３４…段状フランジ部
４０…第２スタンドキャップ              ４１…切欠部
４２…ボルト挿通孔
５０…キャスター部材                    ５１…設置用部材
６０…スタンドレッグ                    ６１…切欠段部
６２…連結部                            ６３…取付孔
７０…パイプ材固定プレート              ７１…筋交い片本体
７２…第１固定片                        ７３…第２固定片
７５…固定手段
【図１】
2008282614.tif 000003
【図２】
2008282614.tif 000004
【図３】
2008282614.tif 000005
【図４】
2008282614.tif 000006
【図５】
2008282614.tif 000007
【図６】
2008282614.tif 000008
【図７】
2008282614.tif 000009
【図８】
2008282614.tif 000010
【図９】
2008282614.tif 000011
【図１０】
2008282614.tif 000012
【図１１】
2008282614.tif 000013
【図１２】
2008282614.tif 000014
【図１３】
2008282614.tif 000015
【図１４】
2008282614.tif 000016
【図１５】
2008282614.tif 000017
【図１６】
2008282614.tif 000018
【図１７】
2008282614.tif 000019
【図１８】
2008282614.tif 000020
【図１９】
2008282614.tif 000021
【図２０】
2008282614.tif 000022
【図２１】
2008282614.tif 000023
【図２２】
2008282614.tif 000024
【図２３】
2008282614.tif 000025
【図２４】
2008282614.tif 000026
【図２５】
2008282614.tif 000027